(57)【要約】【課題】  広角、小Ｆ値、小型軽量、および高い光学性能の点で有利な単焦点レンズを提供することを例示的目的とする。【解決手段】  単焦点レンズは、物体側から像側へ順に、正の屈折力の第１レンズ群、第２レンズ群、および第３レンズ群を有し、合焦のためには前記第１レンズ群は移動せず、合焦のために少なくとも前記第２レンズ群が移動し、合焦のために、互い隣接するレンズ群どうしの間隔がいずれも変化し、前記第１レンズ群は、物体側から連続して配置された２枚の負レンズを有し、前記単焦点レンズの焦点距離、前記第１レンズ群の焦点距離、前記第１レンズ群の前記２枚の負レンズの合成焦点距離を適切に設定する。【選択図】  図１
2019066586.tif 000002
【特許請求の範囲】
【請求項１】
物体側から像側へ順に、正の第１レンズ群、第２レンズ群、および第３レンズ群を有し、合焦のためには前記第１レンズ群は移動せず、合焦のために少なくとも前記第２レンズ群が移動し、合焦のために、互い隣接するレンズ群どうしの間隔がいずれも変化し、前記第１レンズ群は、物体側から連続して配置された２枚の負レンズを有する単焦点レンズであって、
前記単焦点レンズの焦点距離をｆ、前記第１レンズ群の焦点距離をｆ１、前記第１レンズ群の前記２枚の負レンズの合成焦点距離をｆ１ｎとしたとき、
１．０＜ｆ１／ｆ＜６．５
０．０５＜｜ｆ１ｎ｜／ｆ１＜０．２２
なる条件式を満足することを特徴とする単焦点レンズ。
【請求項２】
前記２枚の負レンズのうち物体側に配置された第１１レンズの焦点距離をｆ１１としたとき、
０．３＜｜ｆ１１｜／ｆ１＜１．０
なる条件式を満足することを特徴とする請求項１に記載の単焦点レンズ。
【請求項３】
前記２枚の負レンズのうち像側に配置された第１２レンズの焦点距離をｆ１２としたとき、
０．１＜｜ｆ１２｜／ｆ１＜０．７
なる条件式を満足することを特徴とする請求項１又は２に記載の単焦点レンズ。
【請求項４】
前記２枚の負レンズのうち物体側に配置された第１１レンズの像側の面の曲率半径をＲ１１ｉ、前記２枚の負レンズのうち像側に配置された第１２レンズの物体側の面の曲率半径をＲ１２ｏとしたとき、
−１．５＜（Ｒ１１ｉ＋Ｒ１２ｏ）／（Ｒ１１ｉ―Ｒ１２ｏ）＜０
なる条件式を満足することを特徴とする請求項１乃至３のいずれか１項に記載の単焦点レンズ。
【請求項５】
前記２枚の負レンズのうち物体側に配置された第１１レンズのアッベ数をｖ１１としたとき、
５０＜ｖ１１＜８０
なる条件式を満足することを特徴とする請求項１乃至４のいずれか１項に記載の単焦点レンズ。
【請求項６】
前記２枚の負レンズのうち像側に配置された第１２レンズの屈折率をＮ１２としたとき、
１．７０＜Ｎ１２＜２．１０
なる条件式を満足することを特徴とする請求項１乃至５のいずれか１項に記載の単焦点レンズ。
【請求項７】
前記第１レンズ群は、前記２枚の負レンズより像側に配置されたサブレンズ群を有し、前記サブレンズ群の焦点距離をｆ１ｐとしたとき、
１．０＜ｆ１ｐ／｜ｆ１ｎ｜＜３．０
なる条件式を満足することを特徴とする請求項１乃至６のいずれか１項に記載の単焦点レンズ。
【請求項８】
前記第１レンズ群は、前記２枚の負レンズより像側に配置されたサブレンズ群を有し、前記サブレンズ群は少なくとも１枚の正レンズを有し、前記サブレンズ群に含まれる正レンズの平均屈折率をＮ１ｐａｖｅとしたとき、
１．６＜Ｎ１ｐａｖｅ＜２．０
なる条件式を満足することを特徴とする請求項１乃至７のいずれか１項に記載の単焦点レンズ。
【請求項９】
前記第３レンズ群は、合焦のために前記第２レンズ群とは独立に移動し、無限遠の物体に合焦している場合から最至近の物体に合焦している場合への前記第２レンズ群の移動量および前記第３レンズ群の移動量をそれぞれｍ２およびｍ３とするとき、
０．４＜｜ｍ２｜／｜ｍ３｜＜２．０
なる条件式を満足することを特徴とする請求項１乃至８のいずれか１項に記載の単焦点レンズ。
【請求項１０】
請求項１乃至９のいずれか１項に記載の単焦点レンズと、前記単焦点レンズによって形成された像を受ける撮像素子とを有することを特徴とする撮像装置。
【発明の詳細な説明】
【技術分野】
【０００１】
本発明は、単焦点レンズおよび撮像装置に関する。
【背景技術】
【０００２】
写真用カメラ、映画用カメラに用いられる撮像光学系には、広角でＦ値が小さいとともに、物体距離全般に渡り、画面中心から画面周辺まで略均一な解像力を有する撮像光学系が求められている。このような撮像光学系を実現するために、２つ以上のレンズ群を互いに異なる軌跡で移動させることによって合焦を行うフローティングフォーカスタイプのレンズ系が提案されている。例えば、特許文献１、２には、最も物体側に合焦時不動の第１レンズ群を配置し、この第１レンズ群より像側の２つのレンズ群を合焦の際に移動するフォーカス群とし、合焦の際にこれら２つのレンズ群の間隔が変化するよう移動させた、広角でＦ値の小さい光学系が記載されている。（特許文献１，２）
【先行技術文献】
【特許文献】
【０００３】
【特許文献１】特開２０１４−４８４８８号公報
【特許文献２】特開２０１７−１５９４１号公報
【発明の概要】
【発明が解決しようとする課題】
【０００４】
しかしながら、特許文献１の光学系では、第１レンズ群の正の屈折力が不十分であるため、第１レンズ群より像側に位置するフォーカス群の径が大型化してしまっており、フォーカス群の重量が重く、駆動系への負荷が大きいという課題がある。
【０００５】
また、特許文献２の光学系では、第１レンズ群内の物体側の２枚の負レンズの合成屈折力が不十分であるため、第１レンズ群の最も物体側のレンズの径が大きく、鏡筒の径が大型化しやすいという課題がある。
【０００６】
本発明は、広角、小Ｆ値、小型軽量、および高い光学性能の点で有利な単焦点レンズを提供することを例示的目的とする。
【課題を解決するための手段】
【０００７】
上記の目的を達成するために、本発明の単焦点およびそれを有する単焦点レンズは、物体側から像側へ順に、正の第１レンズ群、第２レンズ群、および第３レンズ群を有し、合焦のためには前記第１レンズ群は移動せず、合焦のために少なくとも前記第２レンズ群が移動し、合焦のために、互い隣接するレンズ群どうしの間隔がいずれも変化し、前記第１レンズ群は、物体側から連続して配置された２枚の負レンズを有し、前記単焦点レンズの焦点距離をｆ、前記第１レンズ群の焦点距離をｆ１、前記第１レンズ群の前記２枚の負レンズの合成焦点距離をｆ１ｎとしたとき、
１．０＜ｆ１／ｆ＜６．５
０．０５＜｜ｆ１ｎ｜／ｆ１＜０．２２
なる条件式を満足することを特徴とする。
【発明の効果】
【０００８】
本発明によれば、例えば、広角、小Ｆ値、小型軽量、および高い光学性能の点で有利な単焦点レンズを提供できる。
【図面の簡単な説明】
【０００９】
【図１】数値実施例１の無限遠合焦時のレンズ断面図。
【図２】数値実施例１の（ａ）無限遠、（ｂ）１．０ｍ、（ｃ）０．３ｍの物体に合焦しているときの縦収差図である。
【図３】数値実施例２の無限遠合焦時のレンズ断面図。
【図４】数値実施例２の（ａ）無限遠、（ｂ）１．０ｍ、（ｃ）０．３ｍの物体に合焦しているときの縦収差図である。
【図５】数値実施例３の無限遠合焦時のレンズ断面図。
【図６】数値実施例３の（ａ）無限遠、（ｂ）１．０ｍ、（ｃ）０．３ｍの物体に合焦しているときの縦収差図である。
【図７】数値実施例４の無限遠合焦時のレンズ断面図。
【図８】数値実施例４の（ａ）無限遠、（ｂ）１．０ｍ、（ｃ）０．３ｍの物体に合焦しているときの縦収差図である。
【図９】数値実施例５の無限遠合焦時のレンズ断面図。
【図１０】数値実施例５の（ａ）無限遠、（ｂ）１．０ｍ、（ｃ）０．３ｍの物体に合焦しているときの縦収差図である。
【図１１】数値実施例６の無限遠合焦時のレンズ断面図。
【図１２】数値実施例６の（ａ）無限遠、（ｂ）１．０ｍ、（ｃ）０．３ｍの物体に合焦しているときの縦収差図である。
【図１３】数値実施例７の無限遠合焦時のレンズ断面図。
【図１４】数値実施例７の（ａ）無限遠、（ｂ）１．０ｍ、（ｃ）０．３ｍの物体に合焦しているときの縦収差図である。
【図１５】本発明の撮像装置の要部概略図。
【発明を実施するための形態】
【００１０】
以下に、本発明の好ましい実施の形態を、添付の図面に基づいて説明する。
まず、本発明の単焦点レンズの特徴について、各条件式に沿って説明する。
本発明は、広画角、大口径のフローティングフォーカスタイプのレンズの小型軽量化を達成するため、第１レンズ群の焦点距離と全系の焦点距離の比、第１レンズ群内の物体側に配置された２枚の負レンズの合成焦点距離と第１レンズ群の焦点距離の比を規定することを特徴とする。
【００１１】
具体的には、本発明の単焦点レンズおよびそれを有する撮像装置は、物体側から像側へ順に、正の第１レンズ群、第２レンズ群、および第３レンズ群を有し、合焦のためには前記第１レンズ群は移動せず、合焦のために少なくとも前記第２レンズ群が移動し、合焦のために、互い隣接するレンズ群どうしの間隔がいずれも変化し、前記第１レンズ群は、物体側から連続して配置された２枚の負レンズを有し、全系の焦点距離をｆ、前記第１レンズ群の焦点距離をｆ１、前記第１レンズ群の前記２枚の負レンズの合成焦点距離をｆ１ｎとした時、
１．０＜ｆ１／ｆ＜６．５  ・・・（１）
０．０５＜｜ｆ１ｎ｜／ｆ１＜０．２２  ・・・（２）
なる条件式を満足することを特徴とする。
【００１２】
本発明において、合焦のためには移動しない正の第１レンズ群、合焦のために移動する第２レンズ群および第３レンズ群を有し、前記第１レンズ群の物体側に負レンズを２枚有する構成とすることによる光学的作用に関して説明する。
【００１３】
第１レンズ群Ｌ１を正の屈折力を持つレンズ群とすることにより、第１レンズ群Ｌ１を射出する軸上光線束を収斂光とし、第２レンズ群Ｌ２、第３レンズ群Ｌ３の大型化を抑制しつつ、レンズの大口径化が可能となる。
【００１４】
また、第１レンズ群Ｌ１は物体側から像側へ順に、負の第１１レンズ、負の第１２レンズを有する構成とすることにより、第１レンズ群Ｌ１の最も物体側のレンズの径の大型化を抑制しつつ、レンズの広角化が可能となる。
【００１５】
更に、前述の（１）、（２）式を満足することで、広画角で、大口径のフローティングフォーカスタイプのレンズの小型軽量化を効果的に達成することが可能となる。
【００１６】
（１）式は、第１レンズ群Ｌ１の焦点距離と、全系の焦点距離ｆの比を規定している。（１）式を満たすことで、第１レンズ群より像側のレンズ群の径の小型化と高い光学性能を効率的に達成することができる。（１）式の上限を満足することができないと、第１レンズ群Ｌ１の正の屈折力が弱くなるため、第１レンズ群Ｌ１で軸上光線束を収斂する作用が弱くなり、第１レンズ群Ｌ１より像側のレンズ群の径が大型化する。（１）式の下限を満足することができないと、第１レンズ群Ｌ１の正の屈折力が強くなりすぎるため、物体距離全般に渡って、球面収差を良好に補正することが困難となる。
【００１７】
さらに好ましくは、（１）式は次のごとく設定するのが良い。
２．０＜ｆ１／ｆ＜６．２  ・・・（１ａ）
【００１８】
（２）式は、第１レンズ群内の物体側に配置された２枚の負レンズの合成焦点距離と第１レンズ群の焦点距離の比を規定している。（２）式を満たすことで、第１レンズ群Ｌ１の最も物体側のレンズ径の小型化と高い光学性能を効率的に達成することができる。（２）式の上限を満足することができないと、第１レンズ群内の物体側に配置された２枚の負レンズで軸外光線束を屈折する作用が弱くなり、第１レンズ群Ｌ１の最も物体側のレンズ径が大型化する。（２）式の下限を満足することができないと、第１レンズ群内の物体側に配置された２枚の負レンズの屈折力が強くなりすぎるため、物体距離全般に渡って、像面湾曲を良好に補正することが困難となる。
【００１９】
さらに好ましくは、（２）式は次のごとく設定するのが良い。
０．１０＜｜ｆ１ｎ｜／ｆ１＜０．２１  ・・・（２ａ）
【００２０】
更に望ましい本発明の単焦点レンズの様態として、物体側に配置された２枚の負レンズのうち、物体側に配置された負の第１１レンズの焦点距離ｆ１１と第１レンズ群の焦点距離ｆ１が以下の条件式を満足することを特徴としている。
０．３＜｜ｆ１１｜／ｆ１＜１．０  ・・・（３）
【００２１】
（３）式の上限を満足することができないと、負の第１１レンズで軸外光線束を屈折する作用が弱くなり、第１レンズ群Ｌ１の最も物体側のレンズ径が大型化する。（３）式の下限を満足することができないと、負の第１１レンズの屈折力が強くなりすぎるため、物体距離全般に渡って、歪曲を良好に補正することが困難となる。さらに好ましくは、（３）式は次のごとく設定するのが良い。
０．３５＜｜ｆ１１｜／ｆ１＜０．８  ・・・（３ａ）
【００２２】
更に望ましい本発明の単焦点レンズの様態として、次の特徴を有する。第１レンズ群内の物体側に配置された２枚の負レンズのうち、像側に配置された負の第１２レンズの焦点距離ｆ１２と第１レンズ群の焦点距離ｆ１が以下の条件式を満足する。
０．１＜｜ｆ１２｜／ｆ１＜０．７  ・・・（４）
【００２３】
（４）式の上限を満足することができないと、負の第１２レンズで軸外光線束を屈折する作用が弱くなり、第１レンズ群Ｌ１の最も物体側のレンズ径が大型化する。（４）式の下限を満足することができないと、負の第１２レンズの屈折力が強くなりすぎるため、物体距離全般に渡って、像面湾曲を良好に補正することが困難となる。さらに好ましくは、（４）式は次のごとく設定するのが良い。
０．２＜｜ｆ１２｜／ｆ１＜０．５  ・・・（４ａ）
【００２４】
更に望ましい本発明の単焦点レンズの様態として、第１レンズ群内の物体側に配置された２枚の負レンズのうち、物体側に配置された負の第１１レンズの像側面の曲率半径Ｒ１１ｉと像側に配置された負の第１２レンズの物体側面の曲率半径Ｒ１２ｏが以下の条件式を満足することを特徴としている。
−１．５＜（Ｒ１１ｉ＋Ｒ１２ｏ）／（Ｒ１１ｉ―Ｒ１２ｏ）＜０  ・・・（５）
【００２５】
（５）式の上限を満足することができないと、負の第１１レンズと負の第１２レンズの間に形成される空気間隔で軸外光線束を屈折する作用が弱くなり、第１レンズ群Ｌ１の最も物体側のレンズ径が大型化する。（４）式の下限を満足することができないと、負の第１１レンズと負の第１２レンズの間に形成される空気間隔で軸外光線束を屈折する作用が強くなりすぎてしまい、物体距離全般に渡って、像面湾曲と歪曲を良好に補正することが困難となる。さらに好ましくは、（５）式は次のごとく設定するのが良い。
−１．１＜（Ｒ１１ｉ＋Ｒ１２ｏ）／（Ｒ１１ｉ―Ｒ１２ｏ）＜−０．２
・・・（５ａ）
【００２６】
更に望ましい本発明の単焦点レンズの様態として、第１レンズ群内の物体側に配置された２枚の負レンズのうち、物体側に配置された負の第１１レンズのアッベ数ｖ１１が以下の条件式を満足することを特徴としている。
５０＜ｖ１１＜８０  ・・・（６）
【００２７】
（６）式の上限を満足することができないと、実在する材料では、負の第１１レンズに使用する材料の屈折率が小さくなりすぎてしまい、負の第１１レンズの屈折力を強めた際に、物体距離全般に渡って、像面湾曲と歪曲を良好に補正することが困難となる。（４）式の下限を満足することができないと、負の第１１レンズに使用する材料の分散が小さくなりすぎてしまい、負の第１１レンズの屈折力を強めた際に、物体距離全般に渡って、倍率色収差を良好に補正することが困難となる。さらに好ましくは、（６）式は次のごとく設定するのが良い。
５３＜ｖ１１＜７５  ・・・（６ａ）
【００２８】
更に望ましい本発明の単焦点レンズの様態として、第１レンズ群内の物体側に配置された２枚の負レンズのうち、像側に配置された負の第１２レンズの屈折率をＮ１２が以下の条件式を満足することを特徴としている。
１．７０＜Ｎ１２＜２．１０  ・・・（７）
【００２９】
（７）式の上限を満足することができないと、負の第１１レンズに使用する材料の屈折率が大きくなりすぎてしまい、レンズ全系のペッツバール和が正方向に増加しすぎてしまい、物体距離全般に渡って、像面湾曲を良好に補正することが困難となる。（７）式の下限を満足することができないと、負の第１１レンズの屈折力を強めた際に、物体距離全般に渡って、歪曲を良好に補正することが困難となる。さらに好ましくは、（７）式は次のごとく設定するのが良い。
１．７５＜Ｎ１２＜２．０５  ・・・（７ａ）
【００３０】
更に望ましい本発明の単焦点レンズの様態として、第１レンズ群は、物体側に配置された２枚の負レンズより像側に配置されたサブレンズ群Ｌ１ｐを有し、サブレンズ群Ｌ１ｐの焦点距離をｆ１ｐと、２枚の負レンズの合成焦点距離ｆ１ｎが以下の条件式を満足することを特徴としている。
１．０＜ｆ１ｐ／｜ｆ１ｎ｜＜３．０  ・・・（８）
【００３１】
（８）式の上限を満足することができないと、第１レンズ群のサブレンズ群Ｌ１ｐの正の屈折力が弱くなるため、軸上光線束を収斂する作用が弱くなり、第１レンズ群Ｌ１より像側のレンズ群の径が大型化する。（１）式の下限を満足することができないと、第１レンズ群のサブレンズ群Ｌ１ｐの正の屈折力が強くなりすぎるため、物体距離全般に渡って、球面収差を良好に補正することが困難となる。さらに好ましくは、（８）式は次のごとく設定するのが良い。
１．４＜ｆ１ｐ／｜ｆ１ｎ｜＜１．８  ・・・（８ａ）
【００３２】
更に望ましい本発明の単焦点レンズの様態として、第１レンズ群は、物体側に配置された２枚の負レンズより像側に配置されたサブレンズ群Ｌ１ｐを有し、サブレンズ群Ｌ１ｐは少なくとも１枚以上の正レンズを有し、サブレンズ群Ｌ１ｐに含まれる正レンズの平均屈折率Ｎ１ｐａｖｅが以下の条件式を満足することを特徴としている。
１．６＜Ｎ１ｐａｖｅ＜２．０  ・・・（９）
【００３３】
（９）式の上限を満足することができないと、第１レンズ群のサブレンズ群Ｌ１ｐの正の屈折力を強めた際に、物体距離全般に渡って、球面収差を良好に補正することが困難となる。（９）式の下限を満足することができないと、実在する材料では、サブレンズ群Ｌ１ｐに含まれる正レンズの材料の分散が小さくなりすぎてしまい、物体距離全般に渡って、軸上色収差を良好に補正することが困難となる。さらに好ましくは、（９）式は次のごとく設定するのが良い。
１．６５＜Ｎ１ｐａｖｅ＜１．９８  ・・・（９ａ）
【００３４】
更に望ましい本発明の単焦点レンズの様態として、次の特徴を有する。第３レンズ群は、合焦時、第２レンズ群とは独立に移動し、無限遠の物体から、最至近の物体へ合焦する際の、前記第２レンズ群の移動量をｍ２、第３レンズ群の移動量をｍ３以下の条件式を満足する。
０．４＜｜ｍ２｜／｜ｍ３｜＜２．０  ・・・（１０）
【００３５】
（１０）式の上限を満足することができないと、第２レンズ群の移動量ｍ２が大きくなりすぎてしまい、第１レンズ群と第２レンズ群の間の間隔を確保する必要があり、レンズ全長を小型化することが困難となる。（１０）式の下限を満足することができないと、第２レンズ群の移動量ｍ２が小さくなりすぎてしまい、物体距離全般に渡って、軸上色収差と像面湾曲を良好に補正することが困難となる。さらに好ましくは、（１０）式は次のごとく設定するのが良い。
０．５＜｜ｍ２｜／｜ｍ３｜＜１．９０  ・・・（１０ａ）
【００３６】
更に、本発明の撮像装置は、各実施例の単焦点レンズと単焦点レンズによって形成された像を受光する所定の有効撮像範囲を有する固体撮像素子を有することを特徴とする。以下に本発明の単焦点レンズの具体的な構成について、実施例１〜５に対応する数値実施例１〜５のレンズ構成の特徴により説明する。
【実施例１】
【００３７】
図１は本発明の実施例１（数値実施例１）である単焦点レンズにおいて、無限遠に合焦しているときのレンズ断面図である。図２において、（ａ）は無限遠、（ｂ）は１．０ｍ、（ｃ）は０．３ｍの物体合焦時の縦収差図を示している。焦点距離の値は、後述する数値実施例をｍｍ単位で表したときの値である。これは以下の数値実施例においても、全て同じである。
【００３８】
図１において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。ＳＰは開口絞りである。Ｉは像面であり、放送用テレビカメラ、ビデオカメラ、デジタルスチルカメラの撮像光学系として使用する際には、単焦点レンズで形成された像を受光し、光電変換する固体撮像素子（光電変換素子）等の撮像面に相当している。フィルム用カメラの撮像光学系として使用する際には、単焦点レンズで形成された像が感光するフィルム面に相当する。
【００３９】
縦収差図において、球面収差における直線と破線は各々ｄ線、ｇ線である。非点収差における破線と実線は各々メリディオナル像面、サジタル像面であり、倍率色収差における一点鎖線はｇ線である。ωは半画角、ＦｎｏはＦナンバーである。縦収差図では、球面収差は０．４ｍｍ、非点収差は０．４ｍｍ、歪曲は５％、倍率色収差は０．０５ｍｍのスケールで描かれている。
【００４０】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、両凹レンズ、物体側に凸のメニスカス凹レンズと物体側凸のメニスカス凸レンズの接合レンズ、両凸レンズから構成される。また、第１面は非球面で、主に歪曲収差や非点収差の補正を行っている。さらに、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側に凹のメニスカス凹レンズの接合レンズ、両凸レンズ、物体側凹のメニスカス凸レンズから構成される。また、第２３面は非球面で、主に球面収差、非点収差の補正を行っている。
【００４１】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６、Ａ３、Ａ５、Ａ７、Ａ９、Ａ１１、Ａ１３、Ａ１５を非球面係数としたとき、次式で表される。また、「ｅ−Ｚ」は「×１０−Ｚ」を意味する。
【数１】
2019066586.tif 000003
【００４２】
本実施例の各条件式対応値を表１に示す。本実施例は（１）〜（１０）式を満足しており、撮影画角（画角）９３．０８°、Ｆ１．４５の大口径広角レンズの小型化を達成している。且つフォーカス全域において諸収差を良好に補正した高い光学性能を有する単焦点レンズを達成している。本発明の単焦点レンズは、（１）〜（２）式を満足することは必須であるが、（３）〜（１０）式については満足していなくても構わない。但し、（３）〜（１０）式について少なくとも１つでも満足していれば更に良い効果を奏することができる。これは他の実施例についても同様である。
【００４３】
図１５はデジタルスチルカメラの要部概略図である。図１１において、光学系１は本数値実施例の撮影光学系である。撮影光学系１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮影光学系１０からの光束を上方に反射する。焦点板４は撮影光学系１０の像形成位置に配置されている。ペンタダハプリズム５は焦点板４に形成された逆像を正立像に変換する。観察者は、その正立像を、接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮影光学系１０によって像側形成される。尚、本発明の光学系は、放送用テレビカメラ、映画用カメラ、ビデオカメラ、デジタルスチルカメラ、銀塩写真用カメラ等に適用できる。
【００４４】
このように、本発明の単焦点レンズを一眼レフカメラ、テレビカメラやシネマ用カメラに適用することにより、高い光学性能を有する撮像装置を実現している。
【実施例２】
【００４５】
図３は本発明の実施例２（数値実施例２）である単焦点レンズにおいて、無限遠に合焦しているときのレンズ断面図である。図４において、（ａ）は無限遠、（ｂ）は０．９ｍ、（ｃ）は０．３ｍの物体合焦時の縦収差図を示している。
【００４６】
図３において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００４７】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、両凹レンズ、物体側に凸のメニスカス凹レンズと両凸レンズの接合レンズ、両凸レンズから構成される。また、第１面と第２面は非球面で、主に歪曲収差や非点収差の補正を行っている。さらに、第８面は非球面で、主に球面収差の補正を行っている。
【００４８】
第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。
【００４９】
第３レンズ群Ｌ３は、物体側から像側へ順に、開口絞りＳＰ、物体側に凹のメニスカス凸レンズと物体側に凹のメニスカス凹レンズの接合レンズ、両凸レンズ、物体側凹のメニスカス凸レンズから構成される。また、第２３面は非球面で、主に球面収差、非点収差の補正を行っている。
【００５０】
本実施例の各条件式対応値を表１に示す。本実施例は（１）〜（１０）式を満足しており、撮影画角（画角）９８．８８°、Ｆ１．３１の大口径広角レンズの小型化を達成している。且つフォーカス全域において諸収差を良好に補正した高い光学性能を有する単焦点レンズを達成している。
【実施例３】
【００５１】
図５は本発明の実施例３（数値実施例３）である単焦点レンズにおいて、無限遠に合焦しているときのレンズ断面図である。図６において、（ａ）は無限遠、（ｂ）は０．７ｍ、（ｃ）は０．３ｍの物体合焦時の縦収差図を示している。
【００５２】
図５において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００５３】
次に、本実施例における第１レンズ群Ｌ１について説明する。
第１レンズ群Ｌ１は第１面から第１０面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズと物体側に凹のメニスカス凹レンズの接合レンズから構成される。また、第１面、第２面は非球面で、主に歪曲収差や非点収差の補正を行っている。また、第３面、第４面は非球面で、主に非点収差の補正を行っている。さらに、第８面は非球面で、主に球面収差の補正を行っている。
【００５４】
第２レンズ群Ｌ２は、第１１面から第１７面に対応する。第２レンズ群Ｌ２は、物体側から像側へ順に、両凸レンズと両凹レンズの接合レンズ、両凹レンズ、両凸レンズから構成される。
【００５５】
第３レンズ群Ｌ３は、第１８面から第２６面に対応する。第３レンズ群Ｌ３は、物体側から像側へ順に、開口絞りＳＰ、物体側に凹のメニスカス凸レンズと物体側に凹のメニスカス凹レンズの接合レンズ、像側に凹のメニスカス凹レンズと両凸レンズの接合レンズ、像側に凸のメニスカス凸レンズから構成される。また、第２５面は非球面で、主に球面収差、非点収差の補正を行っている。
【００５６】
本実施例の各条件式対応値を表１に示す。本実施例は（１）〜（１０）式を満足しており、撮影画角（画角）１１１．６４°、Ｆ１．８５の大口径広角レンズの小型化を達成している。且つフォーカス全域において諸収差を良好に補正した高い光学性能を有する単焦点レンズを達成している。
【実施例４】
【００５７】
図７は本発明の実施例４（数値実施例４）である単焦点レンズにおいて、無限遠に合焦しているときのレンズ断面図である。図８において、（ａ）は無限遠、（ｂ）は１．１ｍ、（ｃ）は０．３ｍの物体合焦時の縦収差図を示している。
【００５８】
図７において、物体側から像側へ順に、合焦時不動の正の屈折力の第１レンズ群Ｌ１を有している。更に、無限遠から近距離物体へ合焦時、物体側へ移動する負の屈折力の第２レンズ群Ｌ２、第２レンズ群Ｌ２とは異なる移動量で物体側へ移動する正の屈折力の第３レンズ群Ｌ３を有する。
【００５９】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、両凹レンズ、物体側に凸のメニスカス凹レンズと物体側に凸のメニスカス凸レンズの接合レンズ、両凸レンズから構成される。また、第１面、第２面は非球面で、主に歪曲収差や非点収差の補正を行っている。また、第３面は非球面で、主に非点収差の補正を行っている。さらに、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２５面に対応する。第３レンズ群Ｌ３は、物体側から像側へ順に、開口絞りＳＰ、物体側に凹のメニスカス凸レンズと物体側に凹のメニスカス凹レンズの接合レンズ、像側に凹のメニスカス凹レンズと両凸レンズの接合レンズ、両凸レンズから構成される。また、第２４面は非球面で、主に球面収差、非点収差の補正を行っている。
【００６０】
本実施例の各条件式対応値を表１に示す。本実施例は（１）〜（１０）式を満足しており、撮影画角（画角）８７．２６°、Ｆ１．２４の大口径広角レンズの小型化を達成している。且つフォーカス全域において諸収差を良好に補正した高い光学性能を有する単焦点レンズを達成している。
【実施例５】
【００６１】
図９は本発明の実施例５（数値実施例５）である単焦点レンズにおいて、無限遠に合焦しているときのレンズ断面図である。図１０において、（ａ）は無限遠、（ｂ）は１．２ｍ、（ｃ）は０．３ｍの物体合焦時の縦収差図を示している。
【００６２】
図９において、物体側から像側へ順に、合焦時不動の正の屈折力の第１レンズ群Ｌ１を有している。更に、無限遠から近距離物体へ合焦時、物体側へ移動する負の屈折力の第２レンズ群Ｌ２、第２レンズ群Ｌ２とは異なる移動量で物体側へ移動する正の屈折力の第３レンズ群Ｌ３を有する。
【００６３】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、両凹レンズ、物体側に凸のメニスカス凹レンズと両凸レンズの接合レンズ、両凸レンズから構成される。また、第１面、第２面は非球面で、主に歪曲収差や非点収差の補正を行っている。また、第３、４面は非球面で、主に非点収差の補正を行っている。さらに、第８面は非球面で、主に球面収差の補正を行っている。
【００６４】
第２レンズ群Ｌ２は、第１０面から第１６面に対応する。第２レンズ群Ｌ２は、物体側から像側へ順に、両凸レンズと両凹レンズの接合レンズ、両凹レンズ、像側に凹のメニスカス凸レンズから構成される。また、第１０面は非球面で、主に球面収差の補正を行っている。
【００６５】
第３レンズ群Ｌ３は、第１７面から第２５面に対応する。第３レンズ群Ｌ３は、物体側から像側へ順に、開口絞りＳＰ、物体側に凹のメニスカス凸レンズと物体側に凹のメニスカス凹レンズの接合レンズ、像側に凹のメニスカス凹レンズと両凸レンズの接合レンズ、両凸レンズから構成される。また、第２４面は非球面で、主に球面収差、非点収差の補正を行っている。
【００６６】
本実施例の各条件式対応値を表１に示す。本実施例は（１）〜（１０）式を満足しており、撮影画角（画角）８３．８４°、Ｆ１．２４の大口径広角レンズの小型化を達成している。且つフォーカス全域において諸収差を良好に補正した高い光学性能を有する単焦点レンズを達成している。
【実施例６】
【００６７】
図１１は本発明の実施例６（数値実施例６）である単焦点レンズにおいて、無限遠に合焦しているときのレンズ断面図である。図１２において、（ａ）は無限遠、（ｂ）は０．７ｍ、（ｃ）は０．３ｍの物体合焦時の縦収差図を示している。
【００６８】
図１１において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、合焦時不動の負の屈折力の第３レンズ群、第２レンズ群Ｌ２とは異なる移動量で物体側へ移動する正の屈折力の第４レンズ群Ｌ４を有する。
【００６９】
次に、本実施例における第１レンズ群Ｌ１について説明する。
【００７０】
第１レンズ群Ｌ１は第１面から第１０面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズと物体側に凹のメニスカス凹レンズの接合レンズから構成される。また、第１面、第２面は非球面で、主に歪曲収差や非点収差の補正を行っている。また、第３面、第４面は非球面で、主に非点収差の補正を行っている。さらに、第８面は非球面で、主に球面収差の補正を行っている。
【００７１】
第２レンズ群Ｌ２は、第１１面から第１７面に対応する。第２レンズ群Ｌ２は、物体側から像側へ順に、両凸レンズと両凹レンズの接合レンズ、両凹レンズ、両凸レンズから構成される。
【００７２】
第３レンズ群Ｌ３は、第１８面から第２１面に対応する。第３レンズ群Ｌ３は、物体側から像側へ順に、開口絞りＳＰ、物体側に凹のメニスカス凸レンズと物体側に凹のメニスカス凹レンズの接合レンズで構成される。
【００７３】
第４レンズ群Ｌ４は、第２２面から第２６面に対応する。第４レンズ群Ｌ４は、物体側から像側へ順に、像側に凹のメニスカス凹レンズと両凸レンズの接合レンズ、両凸レンズから構成される。また、第２５面は非球面形状で、主に球面収差、非点収差の補正を行っている。
【００７４】
本実施例の各条件式対応値を表１に示す。本実施例は（１）〜（９）式を満足しており、撮影画角（画角）１１１．６４°、Ｆ１．８５の大口径広角レンズの小型化を達成している。且つフォーカス全域において諸収差を良好に補正した高い光学性能を有する単焦点レンズを達成している。
【実施例７】
【００７５】
図１３は本発明の実施例７（数値実施例７）である単焦点レンズにおいて、無限遠に合焦しているときのレンズ断面図である。図１４において、（ａ）は無限遠、（ｂ）は１．１ｍ、（ｃ）は０．３ｍの物体合焦時の縦収差図を示している。
【００７６】
図１３において、物体側から像側へ順に、合焦時不動の正の屈折力の第１レンズ群Ｌ１を有している。更に、無限遠から近距離物体へ合焦時、物体側へ移動する負の屈折力の第２レンズ群Ｌ２、第２レンズ群Ｌ２とは異なる移動量で物体側へ移動する正の屈折力の第３レンズ群Ｌ３、合焦時不動の正の屈折力の第４レンズ群Ｌ４を有する。
【００７７】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、両凹レンズ、物体側に凸のメニスカス凹レンズと両凸レンズの接合レンズ、両凸レンズから構成される。また、第１面、第２面は非球面で、主に歪曲収差や非点収差の補正を行っている。また、第３面は非球面で、主に非点収差の補正を行っている。さらに、第８面は非球面で、主に球面収差の補正を行っている。
【００７８】
第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２５面に対応する。
【００７９】
第３レンズ群Ｌ３は、物体側から像側へ順に、開口絞りＳＰ、物体側に凹のメニスカス凸レンズと物体側に凹のメニスカス凹レンズの接合レンズ、像側に凹のメニスカス凹レンズと両凸レンズの接合レンズ、両凸レンズから構成される。また、第２４面は非球面で、主に球面収差、非点収差の補正を行っている。
【００８０】
第４レンズ群Ｌ４は、物体側から像側へ順に、両凸レンズと両凹レンズの接合レンズで構成される。
【００８１】
本実施例の各条件式対応値を表１に示す。本実施例は（１）〜（１０）式を満足しており、撮影画角（画角）８７．２６°、Ｆ１．２４の大口径広角レンズの小型化を達成している。且つフォーカス全域において諸収差を良好に補正した高い光学性能を有する単焦点レンズを達成している。
【００８２】
以上、本発明の好ましい実施形態について説明したが、本発明はこれらの実施形態に限定されず、その要旨の範囲内で種々の変形および変更が可能である。
【００８３】
（数値実施例１）
単位 mm
面データ
面番号       r        d      nd         vd       有効径
1*       280.047    2.32   1.60311    60.6       62.24
2         24.883   17.51                         44.69
3        -99.771    1.88   1.78800    47.4       43.57
4         47.733    1.09                         41.18
5         52.034    1.55   1.89286    20.4       41.38
6         25.001   10.58   1.74000    28.3       39.55
7        116.448    0.23                         39.35
8*        38.596    9.98   1.91650    31.6       39.72
9        -92.636  (可変)                         38.57
10         58.094    5.80   1.85026    32.3       27.66
11        -46.620    1.49   1.60342    38.0       25.55
12         19.625    5.08                         22.63
13        -76.613    1.30   1.65412    39.7       22.74
14         76.613    0.20                         23.42
15         26.450    6.53   1.49700    81.5       24.87
16        -60.404  (可変)                         24.87
17(絞り)    ∞       7.32                         24.14
18        -19.091    3.99   1.48749    70.2       23.44
19        -15.527    1.65   1.84666    23.8       24.23
20        -44.569    0.20                         27.88
21        100.123    8.30   1.61800    63.4       31.47
22        -28.402    0.19                         32.88
23*      -116.747    6.01   1.85400    40.4       34.17
24        -33.943  (可変)                         36.22
像面        ∞   
【００８４】
非球面データ
第1面
K = 0.00000e+000  A 4=-2.49717e-005  A 6=-1.20624e-006  A 8=-6.71315e-009  A10=-4.17725e-012  A12= 2.55967e-015  A14=-9.63712e-019  A16=-1.63231e-022  
A 3= 7.67939e-005  A 5= 8.06146e-006  A 7= 1.12499e-007  A 9= 2.43200e-010  A11=-2.99427e-014  A13=-1.91367e-017  A15= 2.34031e-020  
第8面
K =-2.54800e+000  A 4= 6.88677e-006  A 6= 5.14663e-007  A 8= 3.92487e-009  A10=-9.30826e-012  A12= 4.26623e-014  A14=-2.18804e-017  A16=-4.76121e-020  
A 3=-1.50859e-005  A 5=-2.56182e-006  A 7=-6.24564e-008  A 9=-3.11678e-011  A11= 8.49317e-014  A13=-1.87343e-015  A15= 2.84800e-018  
第23面
K = 0.00000e+000  A 4=-1.19705e-005  A 6=-2.93407e-009  A 8=-6.98369e-012  A10=-1.35994e-014  
【００８５】
各種データ
無限遠    50f     最至近
焦点距離      20.50    20.45    20.26  
Fナンバー      1.45     1.45     1.45  
半画角        46.54    46.54    46.54  
像高          21.64    21.64    21.64  
レンズ全長   100.04    99.55    97.71 
BF            38.32    38.81    40.65 
d 9            4.60     4.26     2.99  
d16            2.22     2.07     1.51  
d24           38.32    38.81    40.64  
レンズ群データ
群  始面    焦点距離  
1    1     118.53       
2   10     752.47       
3   17      37.06        
単レンズデータ
レンズ  始面  焦点距離
1       1    -45.44
2       3    -40.74
3       5    -55.40
4       6     41.00
5       8     30.85
6      10     31.21
7      11    -22.70
8      13    -58.37
9      15     37.96
10      18    124.81
11      19    -28.90
12      21     36.71
13      23     54.22
【００８６】
（数値実施例２）
単位 mm
面データ
面番号       r        d      nd         vd       有効径
1*       243.506    2.32   1.61881    63.9       62.56
2*        23.259   18.73                         43.64
3        -71.369    1.88   1.80400    46.6       41.61
4         53.250    1.83                         39.26
5         96.579    1.55   1.89286    20.4       39.27
6         31.820    9.12   1.67270    32.1       38.55
7       -358.338    0.38                         38.68
8*        41.332    8.62   2.00100    29.1       38.84
9       -101.071  (可変)                         37.87
10         94.263    4.99   1.95375    32.3       29.82
11        -53.514    1.50   1.59270    35.3       29.42
12         21.145    5.85                         25.98
13        -97.330    1.30   1.81600    46.6       26.09
14         78.765    0.20                         26.88
15         30.613    8.93   1.53775    74.7       28.98
16        -39.236  (可変)                         29.11
17(絞り)    ∞       6.47                         27.40
18        -26.049    7.55   1.53775    74.7       26.33
19        -15.799    1.28   2.00330    28.3       26.97
20        -53.733    0.24                         31.80
21         87.041   11.11   1.55032    75.5       35.79
22        -29.957    0.19                         36.85
23*      -261.673    6.56   1.82080    42.7       36.29
24        -36.349  (可変)                         38.05
像面        ∞   
【００８７】
非球面データ
第1面
K =-2.88243e+002  A 4=-5.60715e-005  A 6=-1.30023e-006  A 8=-6.65573e-009  A10=-4.42776e-012  A12= 2.49515e-015  A14=-9.49586e-019  A16=-1.63526e-022  
A 3= 2.53918e-004  A 5= 1.05587e-005  A 7= 1.13235e-007  A 9= 2.44328e-010  A11=-2.15463e-014  A13=-2.05118e-017  A15= 2.35592e-020  
第2面
K = 0.00000e+000  A 4= 1.58036e-005  A 6= 3.83224e-007  A 8= 1.79558e-010  A10= 9.10642e-014  A12=-1.62442e-016  A14= 5.01400e-020  
A 3=-5.25304e-007  A 5=-4.51676e-006  A 7=-1.42900e-008  
第8面
K =-4.65362e+000  A 4= 1.58079e-005  A 6= 5.95434e-007  A 8= 3.96890e-009  A10=-8.41371e-012  A12= 4.44778e-014  A14=-1.80480e-017  A16=-4.79825e-020  
A 3=-3.58049e-005  A 5=-3.49377e-006  A 7=-6.64222e-008  A 9=-3.41335e-011  A11= 2.75680e-014  A13=-1.95609e-015  A15= 2.79012e-018  
第23面
K = 0.00000e+000  A 4=-9.57123e-006  A 6=-1.56569e-009  A 8=-2.48776e-012  A10=-8.81513e-015  
【００８８】
各種データ
無限遠    50f     最至近
焦点距離      18.52    18.46    18.25  
Fナンバー      1.31     1.31     1.31  
半画角        49.44    49.53    49.85  
像高          21.64    21.64    21.64  
レンズ全長   106.98   106.51   104.95  
BF            38.97    39.44    41.00
d 9            4.60     4.26     3.14  
d16            1.77     1.64     1.19  
d24           38.97    39.44    41.00  
レンズ群データ
群  始面    焦点距離  
1    1      80.00       
2   10     254.30       
3   17      39.06       
単レンズデータ
レンズ  始面  焦点距離
1       1    -41.72
2       3    -37.68
3       5    -53.76
4       6     43.86
5       8     30.22
6      10     36.39
7      11    -25.38
8      13    -53.17
9      15     33.47
10      18     59.36
11      19    -22.69
12      21     41.91
13      23     50.76
【００８９】
（数値実施例３）
単位 mm
面データ
面番号       r        d      nd         vd       有効径
1*      2786.654    2.00   1.69680    55.5       64.04
2*        24.860   16.10                         45.97
3*       536.422    1.70   1.80139    45.5       42.25
4*        31.890   11.16                         35.33
5       -314.471    1.40   1.72916    54.7       34.57
6         28.160    9.83   1.72047    34.7       34.17
7        -95.904    0.20                         34.06
8*        44.732    7.70   1.80000    29.8       32.41
9        -47.213    1.50   1.95906    17.5       31.35
10       -113.618  (可変)                         30.05
11         39.168    3.47   1.80400    46.6       21.44
12        -91.545    1.50   1.74400    44.8       21.01
13         19.557    3.55                         19.48
14       -224.183    1.30   1.74400    44.8       19.68
15         74.076    0.20                         20.11
16         27.322    5.29   1.49700    81.5       21.05
17        -39.876  (可変)                         21.17
18(絞り)    ∞       7.49                         19.92
19        -29.862    2.68   1.49700    81.5       18.91
20        -16.839    1.25   2.00100    29.1       19.05
21        -62.679    0.21                         20.43
22         67.542    1.50   1.77250    49.6       22.58
23         27.002   10.18   1.65160    58.5       24.85
24        -29.165    0.19                         27.79
25*      -440.134    3.18   1.72903    54.0       29.66
26        -39.980  (可変)                         30.19
像面        ∞   
【００９０】
非球面データ
第1面
K = 0.00000e+000  A 4=-5.42967e-005  A 6=-4.32394e-007  A 8= 4.04309e-009  A10= 1.05363e-011  A12=-2.15414e-015  A14= 3.00996e-018  A16= 6.81271e-022  
A 3= 4.24030e-004  A 5= 7.18871e-006  A 7=-1.15501e-008  A 9=-3.02296e-010  A11=-1.24089e-013  A13= 2.01762e-017  A15=-8.38311e-020  
第2面
K = 0.00000e+000  A 4=-2.53562e-005  A 6= 5.45429e-008  A 8= 1.01515e-009  A10= 4.96460e-013  A12=-1.89107e-015  A14=-9.20942e-019  
A 3= 2.24609e-004  A 5= 4.96748e-007  A 7=-1.08686e-008  A 9=-4.39941e-011  A11= 2.98604e-014  A13= 6.25430e-017  
第3面
K = 0.00000e+000  A 4= 6.48158e-006  A 6= 1.65938e-008  A 8= 6.44894e-010  A10= 1.08263e-012  A12=-1.01513e-015  A14=-6.78022e-019  
A 3=-1.52541e-004  A 5=-2.68370e-007  A 7=-5.16486e-009  A 9=-3.70923e-011  A11=-6.58569e-015  A13= 4.69814e-017  
第4面
K = 0.00000e+000  A 4= 1.30725e-005  A 6= 3.26968e-008  A 8=-2.31311e-010  A10=-3.59363e-012  A12=-5.59882e-016  
A 3=-4.10527e-005  A 5= 8.63037e-008  A 7=-4.36813e-009  A 9= 5.88210e-011  A11= 8.81223e-014  
第8面
K = 0.00000e+000  A 4= 1.10121e-005  A 6= 1.95731e-006  A 8= 3.43408e-008  A10= 6.77910e-012  A12=-3.89667e-013  A14= 6.50737e-016  A16= 3.82954e-019  
A 3= 8.67237e-006  A 5=-6.83348e-006  A 7=-3.32630e-007  A 9=-1.89676e-009  A11= 6.55188e-012  A13= 2.47739e-015  A15=-2.81595e-017  
第25面
K = 0.00000e+000  A 4=-5.99362e-006  A 6= 8.73008e-008  A 8= 2.21968e-010  A10= 6.43787e-014  
A 3=-1.50420e-005  A 5=-8.04858e-007  A 7=-5.95327e-009  A 9=-4.75558e-012  
【００９１】
各種データ
無限遠    50f     最至近
焦点距離      14.69    14.68    14.64  
Fナンバー      1.85     1.85     1.85  
半画角        55.82    55.85    55.91  
像高          21.64    21.64    21.64  
レンズ全長   104.15   103.78   102.95 
BF            38.33    38.70    39.53  
d10            5.45     4.78     3.28  
d17            5.12     5.42     6.09  
d26           38.33    38.70    39.53   
レンズ群データ
群  始面    焦点距離  
1    1      85.52        
2   11     295.91        
3   18      41.03        
単レンズデータ
レンズ  始面  焦点距離
1       1    -36.01
2       3    -42.37
3       5    -35.39
4       6     31.25
5       8     29.82
6       9    -85.17
7      11     34.53
8      12    -21.54
9      14    -74.70
10      16     33.50
11      19     72.72
12      20    -23.32
13      22    -59.19
14      23     23.18
15      25     60.12
【００９２】
（数値実施例４）
単位 mm
面データ
面番号       r        d      nd         vd       有効径
1*       124.342    2.32   1.55332    71.7       59.47
2*        24.278   17.95                         44.15
3*       -69.307    1.88   1.88300    40.8       42.62
4         43.513    0.92                         40.49
5         42.613    1.55   1.89286    20.4       41.20
6         28.729    9.96   1.80440    39.6       40.12
7        256.325    0.38                         39.69
8*        34.851    8.81   1.91082    35.3       38.91
9       -130.394  (可変)                         37.56
10        126.525    4.24   2.00100    29.1       31.10
11        -64.135    1.50   1.59551    39.2       30.74
12         24.541    5.89                         27.26
13        -79.299    1.30   1.85478    24.8       27.27
14         70.950    0.20                         27.94
15         49.653    4.41   2.05090    26.9       28.60
16       -148.211  (可変)                         28.61
17(絞り)    ∞       6.47                         28.01
18        -27.251    8.80   1.49700    81.5       27.48
19        -16.315    1.28   1.85478    24.8       28.53
20        -43.846    0.24                         33.30
21         64.097    1.55   1.80400    46.6       37.61
22         33.528   14.69   1.61800    63.4       37.91
23        -36.084    0.19                         38.69
24*       524.948    5.49   1.77250    49.5       39.90
25        -56.303  (可変)                         40.73
像面        ∞   
【００９３】
非球面データ
第1面
K =-3.11045e+001  A 4=-4.57350e-005  A 6=-1.28999e-006  A 8=-6.66751e-009  A10=-4.43035e-012  A12= 2.48154e-015  A14=-9.44442e-019  A16=-1.63526e-022  
A 3= 1.77742e-004  A 5= 9.97978e-006  A 7= 1.13464e-007  A 9= 2.44383e-010  A11=-2.09722e-014  A13=-2.06537e-017  A15= 2.35592e-020  
第2面
K = 0.00000e+000  A 4= 2.43175e-005  A 6= 3.41811e-007  A 8=-2.25060e-010  A10= 3.31153e-013  A12= 5.04323e-016  A14=-2.43214e-019  
A 3=-5.49362e-005  A 5=-4.33964e-006  A 7=-9.71720e-009  A 9= 1.46521e-011  A11=-3.28841e-014  A13= 8.08294e-018  
第3面
K = 0.00000e+000  A 4= 8.56486e-006  A 6= 6.83786e-009  A 8=-9.15246e-011  A10=-7.93842e-014  A12= 2.28462e-017  
A 3=-1.10897e-005  A 5=-4.12158e-007  A 7= 5.75180e-010  A 9= 4.69861e-012  A11=-6.27725e-016  
第8面
K =-2.78258e+000  A 4= 1.12825e-005  A 6= 6.07769e-007  A 8= 4.09411e-009  A10=-8.70539e-012  A12= 4.50759e-014  A14=-1.87989e-017  A16=-4.75468e-020  
A 3=-3.59842e-005  A 5=-3.37085e-006  A 7=-6.83208e-008  A 9=-3.41335e-011  A11= 2.75680e-014  A13=-1.95609e-015  A15= 2.79012e-018  
第24面
K = 0.00000e+000  A 4=-5.77335e-006  A 6= 1.74326e-010  A 8=-4.34310e-012  A10= 4.20232e-015  
【００９４】
各種データ
無限遠    50f     最至近
焦点距離      22.69    22.60    22.20  
Fナンバー      1.24     1.24     1.25  
半画角        43.63    43.75    44.27  
像高          21.64    21.64    21.64  
レンズ全長   107.46   106.9    104.5  
BF            38.32    38.88    41.28  
d 9            4.97     4.52     2.57  
d16            2.47     2.37     1.92  
d25           38.32    38.88    41.28  
レンズ群データ
群  始面    焦点距離  
1    1      80.00        
2   10    -306.88        
3   17      35.98        
単レンズデータ
レンズ  始面  焦点距離
1       1    -54.98
2       3    -30.04
3       5   -104.25
4       6     39.45
5       8     30.98
6      10     43.00
7      11    -29.62
8      13    -43.63
9      15     35.80
10      18     64.56
11      19    -31.06
12      21    -89.46
13      22     30.59
14      24     66.10
【００９５】
（数値実施例５）
単位 mm
面データ
面番号       r        d      nd         vd       有効径
1*        93.205    2.32   1.55332    71.7       53.00
2*        22.183   18.23                         39.45
3*       -37.497    1.88   1.95150    29.8       38.08
4*        56.955    0.92                         38.06
5         62.398    1.55   1.89286    20.4       38.79
6         32.454    8.75   1.95375    32.3       38.74
7       -524.508    0.38                         38.63
8*        37.072    7.08   1.95375    32.3       37.86
9       -133.302  (可変)                         37.05
10*        75.675    6.43   1.95375    32.3       36.08
11        -71.464    1.50   1.59551    39.2       35.45
12         29.215    6.16                         30.77
13       -274.235    1.30   1.85026    32.3       30.47
14         71.802    0.20                         30.25
15         49.893    3.61   1.85478    24.8       30.49
16        856.464  (可変)                         30.27
17(絞り)    ∞       6.47                         29.63
18        -33.049    8.46   1.43875    94.7       28.79
19        -17.041    1.28   1.85478    24.8       29.20
20        -55.662    0.24                         33.97
21         54.719    1.55   1.80400    46.6       38.74
22         32.270   15.44   1.59282    68.6       38.84
23        -36.045    0.19                         39.55
24*       210.486    7.30   1.75501    51.2       40.32
25        -61.189  (可変)                         41.58
像面        ∞   
【００９６】
非球面データ
第1面
K = 5.30392e-001  A 4=-4.30737e-005  A 6=-1.26901e-006  A 8=-6.68400e-009  A10=-4.42078e-012  A12= 2.47665e-015  A14=-9.35389e-019  A16=-1.63526e-022  
A 3= 1.95564e-004  A 5= 9.47370e-006  A 7= 1.13524e-007  A 9= 2.44280e-010  A11=-2.07295e-014  A13=-2.10207e-017  A15= 2.35592e-020  
第2面
K = 0.00000e+000  A 4= 2.63781e-005  A 6= 3.50673e-007  A 8=-2.68657e-010  A10= 4.40699e-013  A12= 5.51496e-016  A14=-5.49971e-019  
A 3=-1.31649e-005  A 5=-4.38964e-006  A 7=-9.97076e-009  A 9= 1.82078e-011  A11=-4.39583e-014  A13= 1.86930e-017  
第3面
K = 0.00000e+000  A 4= 2.36896e-005  A 6= 4.37290e-009  A 8=-5.77029e-011  A10=-1.47324e-013  A12= 7.37856e-017  
A 3=-5.26467e-005  A 5=-8.37908e-007  A 7= 3.11969e-010  A 9= 5.50954e-012  A11=-1.23249e-015  
第4面
K = 0.00000e+000  A 4= 6.67520e-007  A 6=-1.93569e-009  A 8= 6.81567e-012  A10= 3.38709e-014  A12= 8.90048e-017  
A 3=-6.48133e-005  A 5=-5.32308e-008  A 7= 7.19357e-012  A 9= 2.12798e-013  A11=-3.80549e-015  
第8面
K =-3.02579e+000  A 4= 2.90929e-006  A 6= 6.06971e-007  A 8= 4.14687e-009  A10=-8.83946e-012  A12= 4.53489e-014  A14=-1.90790e-017  A16=-4.74526e-020  
A 3=-4.72561e-005  A 5=-3.13706e-006  A 7=-6.89257e-008  A 9=-3.41335e-011  A11= 2.75680e-014  A13=-1.95609e-015  A15= 2.79012e-018  
第10面
K =-1.46185e+000  A 4= 2.83129e-006  A 6= 2.62008e-008  A 8= 4.25153e-011  A10=-2.29279e-014  
A 3= 3.85700e-007  A 5=-1.81083e-007  A 7=-1.50887e-009  
第24面
K = 0.00000e+000  A 4=-6.05524e-006  A 6=-3.01137e-010  A 8=-4.42710e-012  A10= 2.53089e-015  
【００９７】
各種データ
無限遠    50f     最至近
焦点距離      24.10    24.03    23.69  
Fナンバー      1.24     1.24     1.24  
半画角        41.92    42.00    42.40  
像高          21.64    21.64    21.64  
レンズ全長   108.28   107.72   104.96  
BF            38.33    38.89    41.65
d 9            4.32     4.03     2.60  
d16            2.73     2.46     1.13  
d25           38.33    38.89    41.65 
レンズ群データ
群  始面    焦点距離  
1    1     115.00        
2   10   -1686.31        
3   17      38.18        
単レンズデータ
レンズ  始面  焦点距離
1       1    -53.23
2       3    -23.53
3       5    -77.64
4       6     32.29
5       8     31.04
6      10     39.38
7      11    -34.63
8      13    -66.81
9      15     61.85
10      18     69.05
11      19    -29.18
12      21   -100.94
13      22     31.36
14      24     63.52
【００９８】
（数値実施例６）
単位 mm
面データ
面番号       r        d      nd         vd       有効径
1*      4773.139    2.00   1.58995    61.8       63.85
2*        24.183   14.91                         46.15
3*       764.945    1.70   1.80608    46.6       42.89
4*        28.906   13.90                         34.34
5       -118.756    1.40   1.72770    50.6       33.58
6         28.108   10.06   1.73086    33.9       33.90
7        -93.805    0.20                         34.01
8*        45.071    7.70   1.83295    30.3       33.00
9        -49.660    1.50   1.95808    17.5       32.12
10       -119.697  (可変)                         30.96
11         41.900    3.71   1.78903    48.3       22.52
12        -78.680    1.50   1.72771    37.4       22.09
13         20.109    3.20                         20.42
14        170.227    1.30   1.57230    50.4       20.62
15         47.547    0.20                         20.91
16         25.029    6.28   1.49571    80.2       21.64
17        -43.618  (可変)                         21.60
18(絞り)    ∞       7.39                         19.29
19        -30.912    2.24   1.49654    81.7       17.54
20        -17.564    1.25   1.85109    28.5       17.55
21        -50.534  (可変)                         18.31
22         59.044    1.50   1.80504    46.6       24.33
23         26.918   10.54   1.57497    60.6       25.93
24        -31.315    0.19                         28.72
25*      -381.991    2.53   1.72949    54.7       30.44
26        -51.667  (可変)                         30.90
像面        ∞   
【００９９】
非球面データ
第1面
K = 0.00000e+000  A 4=-4.02808e-005  A 6=-3.51359e-007  A 8= 4.14640e-009  A10= 1.05222e-011  A12=-2.45780e-015  A14= 3.02653e-018  A16= 6.94466e-022  
A 3= 3.22935e-004  A 5= 5.87562e-006  A 7=-1.48437e-008  A 9=-3.05067e-010  A11=-1.17200e-013  A13= 2.50657e-017  A15=-8.52945e-020  
第2面
K = 0.00000e+000  A 4=-2.55430e-005  A 6=-1.04023e-007  A 8=-4.92367e-010  A10=-1.08874e-013  A12=-8.01269e-016  A14=-1.28360e-018  
A 3= 1.81806e-004  A 5= 8.80758e-007  A 7= 1.00690e-008  A 9= 1.27473e-011  A11=-3.92081e-015  A13= 6.59677e-017  
第3面
K = 0.00000e+000  A 4=-2.13912e-005  A 6=-6.25586e-008  A 8= 6.58023e-010  A10= 5.04686e-013  A12= 7.97829e-016  A14=-2.07852e-019  
A 3= 1.86766e-005  A 5= 2.28899e-006  A 7=-7.23435e-009  A 9=-2.01214e-011  A11=-2.79813e-014  A13=-6.45372e-021  
第4面
K = 0.00000e+000  A 4=-1.26003e-005  A 6=-1.34082e-007  A 8= 2.22633e-010  A10= 1.12319e-012  A12= 1.54855e-015  
A 3= 1.04398e-004  A 5= 3.42376e-006  A 7=-2.01769e-009  A 9=-7.77298e-012  A11=-7.37397e-014  
第8面
K = 0.00000e+000  A 4= 9.54655e-006  A 6= 1.77882e-006  A 8= 3.27449e-008  A10= 8.58267e-012  A12=-3.81161e-013  A14= 6.58599e-016  A16= 3.70911e-019  
A 3=-2.11618e-006  A 5=-6.02913e-006  A 7=-3.10047e-007  A 9=-1.85316e-009  A11= 6.36227e-012  A13= 2.10692e-015  A15=-2.78677e-017  
第25面
K = 0.00000e+000  A 4=-7.41920e-006  A 6= 4.84885e-008  A 8= 2.68963e-011  A10= 2.10820e-014  
A 3= 1.27128e-006  A 5=-4.56670e-007  A 7=-2.30720e-009  A 9= 6.49792e-013  
【０１００】
各種データ
無限遠    50f     最至近
焦点距離      14.69    14.69    14.69  
Fナンバー      1.85     1.85     1.85  
半画角        55.82    55.82    55.82  
像高          21.64    21.64    21.64  
レンズ全長   139.44   139.44   139.44  
BF            30.62    30.80    31.57  
d10            4.99     4.72     3.56  
d17            6.67     6.94     8.10  
d21            1.95     1.77     1.00  
d26           30.62    30.80    31.57  
レンズ群データ
群  始面    焦点距離  
1    1      81.23       
2   11     122.09        
3   18     -52.44        
4   22      29.53        
単レンズデータ
レンズ  始面  焦点距離
1       1    -41.21
2       3    -37.31
3       5    -31.11
4       6     30.66
5       8     29.45
6       9    -89.52
7      11     35.13
8      12    -21.87
9      14   -115.73
10      16     33.08
11      19     77.59
12      20    -32.19
13      22    -62.76
14      23     26.96
15      25     81.64
【０１０１】
（数値実施例７）
単位 mm
面データ
面番号       r        d      nd         vd       有効径
1*       114.030    2.32   1.53381    74.3       59.90
2*        23.813   18.63                         44.08
3*       -67.572    1.88   1.88339    40.0       42.46
4         42.773    0.92                         40.37
5         43.345    1.55   1.89284    20.4       40.99
6         27.939    9.83   1.83077    40.8       39.95
7        170.146    0.38                         39.54
8*        35.116    8.98   1.94093    34.1       39.16
9       -119.535  (可変)                         37.92
10         96.607    4.94   2.00114    29.1       31.26
11        -60.244    1.50   1.61248    37.0       30.77
12         22.913    6.04                         26.78
13        -78.563    1.30   1.89425    24.7       26.79
14         72.222    0.20                         27.42
15         44.580    4.86   1.94242    25.1       28.29
16       -117.086  (可変)                         28.30
17(絞り)    ∞       6.47                         27.68
18        -26.197    8.31   1.50020    81.0       27.10
19        -16.151    1.28   1.84677    24.1       28.09
20        -43.611    0.24                         32.65
21         62.473    1.55   1.83254    45.2       36.67
22         34.510   14.27   1.61012    65.5       36.86
23        -35.620    0.19                         37.69
24*       502.963    6.36   1.80430    46.4       39.37
25        -56.170  (可変)                         40.53
26         98.200    8.00   1.51633    64.1       41.25
27        -99.500    1.10   1.60311    60.6       40.86
28         99.400  (可変)                         40.45
像面        ∞   
【０１０２】
非球面データ
第1面
K =-4.23268e+001  A 4=-4.70660e-005  A 6=-1.29445e-006  A 8=-6.66428e-009  A10=-4.43273e-012  A12= 2.48190e-015  A14=-9.44835e-019  A16=-1.63526e-022  
A 3= 2.02148e-004  A 5= 1.00919e-005  A 7= 1.13486e-007  A 9= 2.44344e-010  A11=-2.09298e-014  A13=-2.06396e-017  A15= 2.35592e-020  
第2面
K = 0.00000e+000  A 4= 2.17453e-005  A 6= 3.17399e-007  A 8=-2.58677e-010  A10= 3.97895e-013  A12= 6.06689e-016  A14=-1.79564e-019  
A 3=-3.57392e-005  A 5=-4.05747e-006  A 7=-8.33453e-009  A 9= 1.39295e-011  A11=-3.51768e-014  A13= 3.76068e-018  
第3面
K = 0.00000e+000  A 4= 8.41851e-006  A 6= 5.31895e-009  A 8=-8.46878e-011  A10=-1.02181e-013  A12= 1.22361e-017  
A 3=-6.87487e-006  A 5=-3.84259e-007  A 7= 4.94636e-010  A 9= 4.76386e-012  A11= 2.50101e-016  
第8面
K =-2.95932e+000  A 4= 1.16752e-005  A 6= 6.15102e-007  A 8= 4.10795e-009  A10=-8.71565e-012  A12= 4.50958e-014  A14=-1.88336e-017  A16=-4.75207e-020  
A 3=-3.76721e-005  A 5=-3.43431e-006  A 7=-6.87906e-008  A 9=-3.41335e-011  A11= 2.75680e-014  A13=-1.95609e-015  A15= 2.79012e-018  
第24面
K = 0.00000e+000  A 4=-5.69280e-006  A 6=-1.24842e-010  A 8=-3.53051e-012  A10= 2.75990e-015  
【０１０３】
各種データ
無限遠    50f     最至近
焦点距離      22.70    22.70    22.70  
Fナンバー      1.24     1.24     1.24  
半画角        43.63    43.63    43.63  
像高          21.64    21.64    21.64  
レンズ全長   148.02   148.02   148.02  
BF            24.44    24.44    24.44  
d 9            4.52     4.10     2.42  
d16            1.97     1.80     1.12  
d25            6.00     6.58     8.95  
d28           24.44    24.44    24.44  
レンズ群データ
群  始面    焦点距離  
1    1      80.00        
2   10    -353.61        
3   17      35.57       
4   26    -679.86         
単レンズデータ
レンズ  始面  焦点距離
1       1    -56.89
2       3    -29.42
3       5    -92.43
4       6     39.01
5       8     29.68
6      10     37.66
7      11    -26.92
8      13    -41.91
9      15     34.77
10      18     66.00
11      19    -30.95
12      21    -95.00
13      22     31.13
14      24     63.14
15      26     97.06
16      27    -82.28
【０１０４】
表１：数値実施例１〜７における各条件式対応値
【表１】
2019066586.tif 000004
【符号の説明】
【０１０５】
Ｌ１  第１レンズ群
Ｌ２  第２レンズ群
Ｌ３  第３レンズ群
【図１】
2019066586.tif 000005
【図２】
2019066586.tif 000006
【図３】
2019066586.tif 000007
【図４】
2019066586.tif 000008
【図５】
2019066586.tif 000009
【図６】
2019066586.tif 000010
【図７】
2019066586.tif 000011
【図８】
2019066586.tif 000012
【図９】
2019066586.tif 000013
【図１０】
2019066586.tif 000014
【図１１】
2019066586.tif 000015
【図１２】
2019066586.tif 000016
【図１３】
2019066586.tif 000017
【図１４】
2019066586.tif 000018
【図１５】
2019066586.tif 000019